(57)【要約】【課題】  単式ろ布走行型フィルタープレスに使用するろ布のランニングコストを削減するために、レーシング接手部で接合・解離が自在に行うことができるろ布を提供する。【解決手段】  一対のろ布（４ａ、４ｂ）を夫々長方形状に形成し、該ろ布（４ａ、４ｂ）の長手方向の両端縁部に、支持バー（６、７）挿入用の袋部（８、９）を設け、上端縁側の袋部（８）を互い違いに切り欠いてなるレーシング接手部（８ａ、８ｂ）を形成し、給液板（５）を介して対峙している一対のろ布（４ａ、４ｂ）のレーシング接手部（８ａ、８ｂ）同士を係合させ、該レーシング接手部（８ａ、８ｂ）に支持バー（６）を挿通することにより、前記ろ布（４ａ、４ｂ）が接合・解離自在に構成され、目詰まりや破損等の不具合が発生した面のろ布だけを交換することができ、ランニングコストが大幅に削減できる。【選択図】     図３
2007044641.tif 000002
【特許請求の範囲】
【請求項１】
水平に設けたガイドレール（２）上に多数のろ板（３…）を開閉自在に並列し、これらろ板（３）間に一対のろ布（４）を吊設し、このろ布（４）の間に給液板（５）を介してスラリーを圧入脱水し、ろ布（４）を上下に走行させてケーキ剥離を行なうフィルタープレス（１）において、前記ろ布（４）を長方形状に形成し、該ろ布（４）の長手方向の両端縁部には、支持バー（６、７）挿入用の袋部（８、９）を夫々形成したうえ、上端縁側の袋部（８）を互い違いに切り欠いてなるレーシング接手部（８ａ、８ｂ）を形成したことを特徴とするフィルタープレス用ろ布。
【請求項２】
上記給液板（５）を介して対峙している一対のろ布（４ａ、４ｂ）のレーシング接手部（８ａ、８ｂ）同士を係合させ、該レーシング接手部（８ａ、８ｂ）に上部支持バー（６）を挿通することにより、該ろ布（４ａ、４ｂ）が接合・解離自在に形成されることを特徴とする請求項１に記載のフィルタープレス用ろ布。
【発明の詳細な説明】
【技術分野】
【０００１】
この発明は、多数並列したろ板を同時に開板してろ布を上下に走行させることにより、ケーキを剥離させるフィルタープレス用ろ布の改良に関し、特に、ろ板間に吊設した一対のろ布の接合・解離に関する。
【背景技術】
【０００２】
ろ布走行式のフィルタープレスで原液をろ過・脱水した後、脱水したケーキをろ布から剥離させて機外に排出させる方法として、ろ布を上下に走行させ、ろ板下方に配設しているローラーでＵターンすることにより、ケーキをろ布から剥離させる方法はよく知られている。特許文献１に記載のろ布走行式フィルタープレスでは、一枚の長方形のろ布を中央から２つ折りし、折曲げ縁から一定幅の個所を縫合して袋部を形成している。該袋部にろ布吊り棒を挿通し、吊り棒の両端部には上部巻取り用のドラムにより巻取られるワイヤが取着されている。ろ布の下端部の一方はろ板の下方に配設してある巻き取りローラに接続され、ろ布の下端部の他方は対向するろ板の下方に配設してある巻き取りローラに接続されている。ろ布を下降させる場合は、該巻き取りローラを回動させ、ろ布を上昇させる時には上部巻取り用のドラムを回動させることによりろ布の昇降を行うようにしている。
【０００３】
又、特許文献２に記載のフィルタープレスでは、ろ板間に吊設する２枚のろ布を長方形状に構成し、その長手方向の両端縁をそれぞれ折り返して、その折り返し部を縫合して両端に袋部を形成した。前記それぞれの袋部にろ布の支持バーを挿通し、ろ板の上部に立設したマストに設けた駆動スプロケットに巻き掛けたチェーンの両端に吊設具を接続し、この一方の吊設具に前記ろ布の上端側の支持バーを係止するとともに、他方の吊設具には、ろ板の下部に配設したリターンロールに掛け回した、前記ろ布の下端側の支持バーを係止させることにより、ろ板間に吊設したろ布は、チェーンを介してろ板の周りにループ状に配設されている。前記駆動スプロケットを正転、逆転することにより、ろ布を上下に走行させるようにしている。
【０００４】
【特許文献１】特開２０００−１４０５１５号公報（段落番号００１７、図１）
【特許文献２】実用新案登録公報第２５１９２５４号（請求項２、段落番号００１１、図３）
【発明の開示】
【発明が解決しようとする課題】
【０００５】
しかしながら、上述した従来のフィルタープレス用のろ布には、下記のような課題がある。特許文献１に記載のフィルタープレスに使用しているろ布は、長方形のろ布を縫合して製作したものをろ板間に吊設している。そのため、運転中に一対のろ布の片面側のみが破損したり、目詰まりが発生した場合には、他面側のろ布が正常であるにもかかわらず、一対のろ布を交換しなければならないという課題がある。
【０００６】
特許文献２に記載のフィルタープレスでは、ろ板間に吊設するろ布を２枚に分割しているので、運転中に左右いずれかのろ布が破損したり、あるいは目詰まりを起こした場合でも、該当する１枚のろ布だけを交換すればよいので、ランニングコストの低減が図れ、経済的である。しかし、前記ろ布の上端部は左右それぞれに袋部を設け、各袋部に支持バーを挿通し、これら２本の支持バーを１個の吊設具に係止させている。このため、ろ布重量が重くなり、チェーンの強度を増す必要がある。また、支持バーを吊設具に係止しているだけのため、運転中にろ布が収縮したり、目詰まりにより硬化した場合には、ろ布走行時に支持バーが吊設具から脱落する恐れがあるという課題がある。
【課題を解決するための手段】
【０００７】
本発明は上記の従来技術の課題を解決しようとするものであって、その要旨とするところは、水平に設けたガイドレール上に多数のろ板を開閉自在に並列し、これらろ板間に一対のろ布を吊設し、このろ布の間に給液板を介してスラリーを圧入脱水し、ろ布を上下に走行させてケーキ剥離を行なうフィルタープレスにおいて、前記ろ布を長方形状に形成し、該ろ布の長手方向の両端縁部には、支持バー挿入用の袋部を夫々形成したうえ、上端縁側の袋部を互い違いに切り欠いてなるレーシング接手部を形成し、前記給液板を介して対峙している一対のろ布のレーシング接手部同士を係合させ、該レーシング接手部に上部支持バーを挿通することにより、該ろ布が接合・解離自在に形成されるフィルタープレス用ろ布とすることにより、前記従来技術の課題を解決するものである。
【発明の効果】
【０００８】
従来、ろ布走行式のフィルタープレス用ろ布においては、左右一対のいずれかのろ布面が破損したり目詰まりを起こした場合でも正常な側のろ布面も含め、一対のろ布全てを交換する必要があった。本発明に係るフィルタープレス用ろ布をろ布走行式のフィルタープレスに適用すれば、ろ板間に吊設した左右一対のろ布のいずれか片面側だけが、破損したり目詰まりを起こした場合、不具合の発生した面のろ布だけを交換することができ、ランニングコストが大幅に削減でき大変経済的である。また、交換したろ布を焼却処分する際にも、容積が略半分になり焼却費用の削減、二酸化炭素排出量の削減も可能となり、環境破壊の防止にも寄与するという効果もある。
【発明を実施するための最良の形態】
【０００９】
以下、本発明の実施形態を図面に基づいて詳述する。図１は本発明を実施するための装置の概略図である。図中の符号１はフィルタープレスであり、フレーム１０とフレーム１１の間に一対のガイドレール２・２を水平に横架し、このガイドレール２上に多数のろ板３…を並列させ、これらろ板３…の間に図３のろ布組品１２を吊設し、油圧シリンダー１３を伸長させて、前記ろ板３…をフレーム１１方向に押圧して多数のろ室を形成する。つづいて、原液供給口１４より原液を圧入してろ過脱水を行う。脱水完了後、油圧シリンダー１３を収縮させ、ろ室を開板する。そして、駆動機１５を作動して、脱水ケーキ１６を排出させるようにしたものである。
【００１０】
図２はろ布４を装着した状態を表しており、前記駆動機１５とスプロケット１７とが連動するように構成され（図示せず）、スプロケット１７にはチェーン１８を掛け回している。チェーン１８の一端は上部の支持バー６に連結し、他端は張力調節装置１９を介してタイクランプ２０に連結している。そして、下部の支持バー７は前記タイクランプ２０と係着している。支持バー６は図３の袋部８に挿通しており、支持バー７は袋部９に挿通しているので、チェーン１８とろ布４とはエンドレス状に形成されている。尚、前記タイクランプ２０には、ろ板３をはさんで隣り合うろ布４に挿通している下部の支持バー７も係着している。スプロケット１７を時計回りに回転させれば、全てのろ布４は同時に下降を始め、ろ布４・４の間に付着している脱水ケーキ１６は、リターンロール２１に沿ってろ布４が反転することにより、強制的にろ布４から剥離させられる。ろ布４が所定の位置まで下降すると、駆動機１５を逆転させ、ろ布４をもとの位置まで上昇させる。符号２２は洗浄パイプであって、この洗浄パイプ２２から洗浄水を噴射しながら、ろ布４を昇降させることにより、ろ布４の繊維間や表面に残存している固形物を洗い流し、ろ布４の再生を行っている。
【００１１】
図３はろ布組品１２の図面であり、ろ布４は図４のろ布４ａと図５のろ布４ｂの２枚を重ね合わせ、上部に設けた袋部８に支持バー６を挿通している。ろ布４の両下端部も袋部９を形成し、該袋部９にそれぞれ支持バー７を挿通している。ろ布４上方の中央部には原液の通孔２３を開口し、前記ろ布４ａ・４ｂの間に給液板５を差込み、分配口５ａが下向きとなる方向で通孔２３位置を合わせ、止金２４…でろ布４に固着している。
【００１２】
図４、図５はろ布４ａ・４ｂの正面図であり、ろ布４ａ・４ｂの上端部はそれぞれ折り返して前記支持バー６を挿通できる所定幅の位置を縫合し、袋状に形成した後、この縫合部を複数箇所切り欠いて、レーシング接手部８ａ・８ｂを形成している。ろ布４ａのレーシング接手部８ａはろ布４ｂの切り欠き部分と合致する。また、ろ布４ｂのレーシング接手部８ｂはろ布４ａの切り欠き部分と合致するようになっており、ろ布４ａ・４ｂを重ね合わせれば袋部８を構成するものである。そして、ろ布４ａ・４ｂの上方中央部には原液供給用の通孔２３を開口しており、ろ布４ａ・４ｂの下端部はそれぞれ折り返して前記支持バー７を挿通できる所定幅の位置を縫合し、袋部９を形成している。前記レーシング接手部８ａ・８ｂの数及び寸法はろ板３のサイズに合わせて、任意に設定するものである。
【産業上の利用可能性】
【００１３】
本発明のろ布は、上部のレーシング接手部に支持バーを挿通・抜脱することにより、接合・解離が自在である。ろ布走行式フィルタープレスに使用している、従来のろ布は縫製により一対のろ布を形成しており、一対のろ布のどちらか片面側だけが、目詰まりを起こしたり、破損した場合でも、一対のろ布全てを交換していた。本発明のろ布を前記フィルタープレスに適用することにより、目詰まりや破損等の不具合が発生した面のろ布だけを交換することができる。
【図面の簡単な説明】
【００１４】
【図１】本発明のフィルタープレスの構造を示す概略図である。
【図２】本発明に係るろ布を装着した状態を示す模式図である。
【図３】本発明に係るろ布組品を示す斜視図である。
【図４】本発明に係る一方のろ布の正面図である。
【図５】同じく本発明に係る他方のろ布の正面図である。
【符号の説明】
【００１５】
１  フィルタープレス
２  ガイドレール
３  ろ板
４、４ａ、４ｂ  ろ布
５  給液板
６、７  支持バー
８、９  袋部
８ａ、８ｂ  レーシング接手部
【図１】
2007044641.tif 000003
【図２】
2007044641.tif 000004
【図３】
2007044641.tif 000005
【図４】
2007044641.tif 000006
【図５】
2007044641.tif 000007